(57)【要約】【課題】棚板の下面に照明装置を設けた冷凍冷蔵ショーケースにおいて、照明装置から発生する熱が棚板に伝導されることを防止する冷凍冷蔵ショーケースにおける照明装置を提供すること。【解決手段】冷凍冷蔵ショーケースの棚板６の下面に設けられ、棚板６の下方の商品陳列スペースに照明を行うようにした冷凍冷蔵ショーケースにおける照明装置１４であって、照明装置１４には、ＬＥＤ２５が左右方向に複数配設され、照明装置１４の本体外周面２３ｃを棚板６から離間させた。【選択図】図３
2008206759.tif 000002
【特許請求の範囲】
【請求項１】
冷凍冷蔵ショーケースの棚板の下面に設けられ、該棚板の下方の商品陳列スペースに照明を行うようにした冷凍冷蔵ショーケースにおける照明装置であって、
前記照明装置には、ＬＥＤが左右方向に複数配設され、前記照明装置の本体外周面を前記棚板から離間させたことを特徴とする冷凍冷蔵ショーケースにおける照明装置。
【請求項２】
前記照明装置の左右両端を、ブラケットを介して前記棚板に取り付けたことを特徴とする請求項１に記載の冷凍冷蔵ショーケースにおける照明装置。
【請求項３】
前記照明装置の本体外周面には、該照明装置内で発生する熱を外部に放熱する放熱部が設けられていることを特徴とする請求項１または２に記載の冷凍冷蔵ショーケースにおける照明装置。
【請求項４】
前記照明装置の本体が、アルミニウムで形成されたケース体で構成されていることを特徴とする請求項１ないし３のいずれかに記載の冷凍冷蔵ショーケースにおける照明装置。
【発明の詳細な説明】
【技術分野】
【０００１】
本発明は、冷凍冷蔵ショーケースの棚板の下面に設けられ、該棚板の下方の商品スペースに照明を行うようにした冷凍冷蔵ショーケースにおける照明装置に関する。
【背景技術】
【０００２】
従来、商品陳列用空間部の前方上部に設けられた吐出口から下方に向けて冷気が吐出され、商品陳列用空間部の前面にエアーカーテンを作り出すようになっている冷凍冷蔵ショーケースにおいて、商品陳列用空間部に配置される陳列棚（棚板）の下面に、クリップを用いて直接的に蛍光灯を取り付け、このクリップと蛍光灯とで構成される照明装置から照射される光により、その下方の陳列棚上の商品を照らせるようにしている（例えば、特許文献１参照）。
【０００３】
【特許文献１】特開２００１−１６９８７４号公報（第３頁、第１図）
【発明の開示】
【発明が解決しようとする課題】
【０００４】
近年、照明装置に用いられる新しい光源として、低消費電力、長寿命、小型であるＬＥＤ（発光ダイオード）が使用されつつある。しかしながら、特許文献１に記載のショーケースにあっては、照明装置の光源である蛍光灯を多数のＬＥＤに置き換えることで、照明装置を低消費電力、長寿命、小型にすることができるが、多数のＬＥＤを用いた照明装置では、ＬＥＤを発光させるための基板や、多数のＬＥＤから熱が発生してしまい、陳列棚（棚板）の下面に直接的に照明装置を取り付ける構成では、照明装置から発生する熱が陳列棚に伝導され、陳列棚上の商品が温まってしまうという問題がある。
【０００５】
本発明は、このような問題点に着目してなされたもので、棚板の下面に照明装置を設けた冷凍冷蔵ショーケースにおいて、照明装置から発生する熱が棚板に伝導されることを防止する冷凍冷蔵ショーケースにおける照明装置を提供することを目的とする。
【課題を解決するための手段】
【０００６】
前記課題を解決するために、本発明の請求項１に記載の冷凍冷蔵ショーケースにおける照明装置は、
冷凍冷蔵ショーケースの棚板の下面に設けられ、該棚板の下方の商品陳列スペースに照明を行うようにした冷凍冷蔵ショーケースにおける照明装置であって、
前記照明装置には、ＬＥＤが左右方向に複数配設され、前記照明装置の本体外周面を前記棚板から離間させたことを特徴としている。
この特徴によれば、照明装置から発生する熱が棚板に伝わることを防止でき、照明装置の熱の影響を棚板上の商品に与えずに済むようになるばかりか、照明装置の外周面と棚板の下面との間に、冷凍冷蔵ショーケースの冷気が入り込み、この冷気により照明装置が冷やされるため、照明装置の内部に熱が蓄積されてＬＥＤが高温になることを防止できる。
【０００７】
本発明の請求項２に記載の冷凍冷蔵ショーケースにおける照明装置は、請求項１に記載の冷凍冷蔵ショーケースにおける照明装置であって、
前記照明装置の左右両端を、ブラケットを介して前記棚板に取り付けたことを特徴としている。
この特徴によれば、棚板に簡単に照明装置を取り付けることができ、かつ棚板と照明装置との間のブラケットにより照明装置内部で発生する熱が棚板に殆ど伝導しなくなる。
【０００８】
本発明の請求項３に記載の冷凍冷蔵ショーケースにおける照明装置は、請求項１または２に記載の冷凍冷蔵ショーケースにおける照明装置であって、
前記照明装置の本体外周面には、該照明装置内で発生する熱を外部に放熱する放熱部が設けられていることを特徴としている。
この特徴によれば、放熱部により照明装置内部で発生する熱を効率よく照明装置の外部に放熱することができる。
【０００９】
本発明の請求項４に記載の冷凍冷蔵ショーケースにおける照明装置は、請求項１ないし３のいずれかに記載の冷凍冷蔵ショーケースにおける照明装置であって、
前記照明装置の本体が、アルミニウムで形成されたケース体で構成されていることを特徴としている。
この特徴によれば、熱伝導率の高いアルミニウムを照明装置の本体に用いることで、ＬＥＤの冷却効果を一層高めることができる。
【発明を実施するための最良の形態】
【００１０】
本発明に係る冷凍冷蔵ショーケースにおける照明装置を実施するための最良の形態を実施例に基づいて以下に説明する。
【実施例】
【００１１】
本発明の実施例を図面に基づいて説明すると、先ず図１は、実施例における冷凍冷蔵ショーケースを示す縦断側面図であり、図２は、棚板に設けられた照明装置を示す横断底面図であり、図３は、棚板に設けられた照明装置を示す縦断側面図であり、図４は、キャノピーに設けられた照明装置を示す横断底面図であり、図５は、キャノピーに設けられた照明装置を示す縦断側面図であり、図６は、ＰＷＭにより制御されたＬＥＤの点灯状態を示すタイムチャートであり、図７は、ＰＷＭにより制御されたＬＥＤの点灯状態を示すタイムチャートであり、図８は、ＬＥＤの電力と照度の関係を示すグラフである。以下、図１、図３、図５の紙面左側を冷凍冷蔵ショーケースの正面側（前方側）とし、図２及び図４の紙面上側を冷凍冷蔵ショーケースの正面側（前方側）として説明する。
【００１２】
図１の符号１は、本発明の適用された商品陳列棚としての冷凍冷蔵ショーケースであり、この冷凍冷蔵ショーケース１は、主に商店やスーパーマーケットやコンビニエンスストア等の食品等を取り扱う販売店舗に設置され、商品を低温に保ったまま保冷、または冷凍した状態で陳列するために設置される。
【００１３】
図１に示すように、冷凍冷蔵ショーケース１は、前方側が開放された略コ字形をなす断熱構造の外箱２と、その内方に前面が開放された略コ字形の内箱３とを備え、内箱３の内部空間は冷蔵室５となっている。この冷蔵室５の内部には、商品を陳列するための棚板６が上下方向に複数段配置されており、棚板６の後端は、内箱３を形成する背面板３ａに取り付けられている。この各棚板６の上面が商品（図示略）が陳列される商品陳列スペースＳとなっているとともに、内箱３を形成する底板３ｂの上面も商品が陳列される商品陳列スペースＳになっている。
【００１４】
また、外箱２と内箱３との間には、冷風が通風される通風路７が形成されており、底板３ｂの下方における通風路７内部には、空気を冷却するための冷却装置８と送風機９が設置されている。冷凍冷蔵ショーケース１の上部の前端には、通風路７内の冷気を吐出する吐出口１０が下向きに開口して形成されるとともに、この吐出口１０よりも前方側には、庇状に前方に向かって突出されたキャノピー１３が設けられている。更に、冷凍冷蔵ショーケース１の下部の前端には、上方に開口する空気（冷気）の吸込口１１が形成されている。
【００１５】
送風機９を作動させると、吸込口１１から吸入された空気が冷却装置８により冷却され、この冷気が通風路７内を上方に向かって流れて、吐出口１０から下方の吸込口１１に向かって吹き出されるようになっている。これにより、冷凍冷蔵ショーケース１の前面の開放面に冷気のエアカーテン１２が形成されるとともに、その冷気の一部が冷蔵室５内に流入することにより、棚板６及び底板３ｂにおける商品陳列スペースＳに陳列された商品が保冷されるようになる。
【００１６】
本実施例における冷凍冷蔵ショーケース１には、各棚板６の下面前部にそれぞれ設けられた棚板６用の照明装置１４と、最上段の棚板６の上方に配置された内箱３の天井面を形成する頂板３ｃ（インナー）に設けられた頂板３ｃ用の照明装置１６と、キャノピー１３の下面に設けられたキャノピー１３用の照明装置１５と、が設けられている。
【００１７】
棚板６用の照明装置１４は、その下方に配置された棚板６及び底板３ｂの上面に陳列される商品を照らすとともに、頂板３ｃ用の照明装置１６は、最上段の棚板６の上面に陳列される商品と照らすようになっている。また、キャノピー１３用の照明装置１５は、各棚板６及び底板３ｂに陳列される商品を照らすとともに、後述する棚板６の前面で商品の価格等を表示する表示板１９（図３参照）なども照らせるようになっている。
【００１８】
図３に示すように、各棚板６は、商品を上面に載置するように平板状に形成された平板部６ａと、平板部６ａの前面側に下方に向けて略直角に屈曲された屈曲部６ｂと、が形成されている。また、棚板６は、棚板６の下面左右両端部に設けられた棚板用支持部材１７を介して背面板３ａに支持されている。更に、棚板６の下面前側には、側面視で略Ｖ字形状に屈曲された補強板１８が固着されており、この補強板１８により商品を載置して荷重の掛かったる棚板６を補強している。尚、屈曲部６ｂの前面には、棚板６に陳列された商品の商品名や価格等の情報を表示できる表示板１９が取り付けられている。
【００１９】
次に、図２及び図３を用いて棚板６用の照明装置１４について詳述する。棚板６用の照明装置１４は直方体状の略箱体をなしており、その長手方向が左右幅方向を向いて各棚板６の下面前部に沿って設けられている。棚板６用の照明装置１４には、側面視下方に開口する断面視で略コ字形状をなし、アルミニウム合金で形成された本実施例におけるケース体としてのアルミケース２３が設けられており、このアルミケース２３内部には、基板２４、ＬＥＤ２５、反射板２７が配置されている。
【００２０】
アルミケース２３の内部に装着された基板２４に、左右幅方向に所定間隔おきにＬＥＤ２５が点在して設けられ、このＬＥＤ２５から発せられる光を下方側に反射させるように、反射板２７が配置されている。反射板２７は、その前後縁辺がアルミケース２３の内壁に形成された係合溝２３ａに係合され、反射板２７が上方に向かって膨出するように湾曲されている。
【００２１】
また、アルミケース２３の開口を被覆するようにグレア２６が取り付けられている。このグレア２６は、透光性を有する平板形状をなし、その前後縁辺がアルミケース２３の開口端に形成された凹溝２３ｂに嵌合され、アルミケース２３内部に収容したＬＥＤ２５及び基板２４等を保護している。
【００２２】
更に、アルミケース２３の外周面には、複数の突起（凹凸部）からなる本実施例における放熱部としての放熱フィン２３ｃが形成されている。この放熱フィン２３ｃによりＬＥＤ２５を発光させたときに、ＬＥＤ２５及び基板２４の発熱をアルミケース２３の外部に効率よく放熱できるようになっている。また、熱伝導率の高いアルミニウム合金で形成されたアルミケース２３により照明装置１４のケース体を構成していることで、ＬＥＤ２５の冷却効果を一層高めることができる。
【００２３】
尚、アルミケース２３の外周面、すなわち放熱フィン２３ｃは、棚板６の下面から所定距離離間した状態で配置されている。そのため照明装置１４から発生する熱が棚板６に伝わることを防止でき、照明装置１４の熱の影響を棚板６上の商品に与えずに済むようになる。また、照明装置１４の放熱フィン２３ｃと棚板６の下面との間に、冷蔵室５の冷気が入り込み、この冷気により放熱フィン２３ｃ、すなわち照明装置１４が効率よく冷やされるため、照明装置１４の内部に熱が蓄積されてＬＥＤ２５が高温になることを防止できる。
【００２４】
棚板６用の照明装置１４は、棚板６の下面前部、すなわち補強板１８の前側において、後述のように棚板６に対して所定角度傾斜した状態で取り付けられている。より具体的には、ＬＥＤ２５等を収容した状態でアルミケース２３の左右両端を塞ぐ塞ぎ材３２が、固定ねじ３０により取り付けられおり、補強板１８に固着されたブラケット２２が、塞ぎ材３２に近接して沿うように前方に向かって延設されている。
【００２５】
そして、塞ぎ材３２に形成された挿通孔３２ａと、該挿通孔３２ａと略同径にブラケット２２に形成された挿通孔２２ａとに、円筒状の軸体３３を棚板６の左右幅方向に挿通する。すなわち照明装置１４は、補強板１８を介して棚板６に設けたブラケット２２に軸体３３を介して装着されている。尚、照明装置１４はブラケット２２に対して揺動不能に取り付けられおり、照明装置１４の所定角度の傾斜は、照明装置１４の取付作業の際に任意に設定されており、放熱フィン２３ｃが棚板６の下面に当接しないようになっている。
【００２６】
また、ブラケット２２を介して照明装置１４を棚板６に取り付けることで、照明装置１４と棚板６とを離間させた状態で、照明装置１４を棚板６に簡単に取り付けることができ、かつ棚板６と照明装置１４との間のブラケット２２により照明装置１４内部で発生する熱が棚板６に殆ど伝導しなくなる。
【００２７】
また、軸体３３には、両端が内部で連通する挿通孔３３ａが穿設されており、各ＬＥＤ２５に電力を供給する電源ケーブル３４が、この挿通孔３３ａに挿設されている。そのためブラケット２２に対して照明装置１４を取り付ける際に、電源ケーブル３４を捻れないようにでき、電源ケーブル３４の破損や漏電を防止できる。
【００２８】
更に、ブラケット２２には、軸体３３の挿通孔３３ａを外方から被覆するように形成された保護カバー３１が取り付けられている。そのため軸体３３の挿通孔３３ａに挿通した電源ケーブル３４を、挿通孔３３ａを被覆するように形成された保護カバー３１により保護することができる。
【００２９】
尚、特に詳細な図示はしないが、頂板３ｃ用の照明装置１６には、前述した棚板６用の照明装置１４と同様の構成をなす照明装置１６が用いられており、頂板３ｃ用の照明装置１６に用いられている基板（図示略）やＬＥＤ（図示略）は、棚板６用の照明装置１４の基板２４やＬＥＤ２５と同様な構成となっている。
【００３０】
次に、図４及び図５を用いてキャノピー１３用の照明装置１５について詳述する。キャノピー１３用の照明装置１５におけるアルミケース３５（ケース体）は、前述した棚板６用の照明装置１４のアルミケース２３よりも若干大型に形成された略箱体をなしており、その長手方向が左右幅方向を向いてキャノピー１３の下面前部に沿って設けられており、このアルミケース３５内部には、基板３６、ＬＥＤ３７、反射板３８が配置されている。
【００３１】
アルミケース３５の内部には、左右幅方向に所定間隔おきにＬＥＤ３７が点在して設けられ、このＬＥＤ３７を制御する基板３６や、ＬＥＤ３７及び基板３６に接続される電源ケーブル３９が配設されている。更に、アルミケース３５の開口を被覆するようにグレア４０が取り付けられている。
【００３２】
また、アルミケース３５の外周面には、複数の突起（凹凸部）からなる放熱フィン３５ｃ（放熱部）が形成されている。この放熱フィン３５ｃによりＬＥＤ３７を発光させたときに、ＬＥＤ３７及び基板３６の発熱をアルミケース３５の外部に放熱できるようになっている。
【００３３】
キャノピー１３用の照明装置１５は、キャノピー１３の下面前部において、所定角度傾斜した状態で取り付けられている。より詳述すると、ブラケット４１がキャノピー１３の下面前部に前下方に突設されており、このブラケット４１に対して、照明装置１５のアルミケース３５の左右両端が固定ねじ４２により取り付けられている。尚、ブラケット４１がアルミケース３５の左右両端の塞ぎ材となっている。
【００３４】
そして、ブラケット４１に形成された挿通孔４１ａに軸体４３が設けられ、軸体４３には、両端が内部で連通する挿通孔４３ａが穿設されており、各ＬＥＤ３７に電力を供給する電源ケーブル３９が、この挿通孔４３ａに挿設されている。
【００３５】
本実施例における冷凍冷蔵ショーケース１では、照明装置１４，１５，１６の光源としてＬＥＤ２５，３７を用いることにより、照明装置１４，１５，１６の小型化、低消費電力、長寿命に加えて冷却による長寿命化が図られるようになっている。次に、本実施例における照明装置１４，１５，１６に用いられているＬＥＤ２５，３７について詳述する。
【００３６】
図２及び図３に示すように、棚板６及び頂板３ｃ用のＬＥＤ２５は、平面視で円形状をなし、側面視で半球形状に膨出されている。また、図４及び図５に示すように、キャノピー１３用のＬＥＤ３７は、前述した棚板６及び頂板３ｃ用のＬＥＤ２５と比較して、平面視で横長の矩形状をなし、側面視で平板状をなしている。
【００３７】
また、棚板６及び頂板３ｃ用の照明装置１４，１６には、定格電力が１.２ＷのＬＥＤ２５が用いられているとともに、キャノピー１３用の照明装置１５には、定格電力が３.５ＷのＬＥＤ３７が用いられている。尚、一般的にＬＥＤ２５，３７は、定格電力の１.５倍程度の最高使用電力を供給して使用可能となっており、本実施例におけるＬＥＤ２５，３７は、ＬＥＤ２５，３７が発する光の量、すなわち光束を増大させるために、ＬＥＤ２５，３７に対して定格電力以上の最高使用電力近傍の電力を供給して使用するようになっている。
【００３８】
図１に示すように、それぞれの照明装置１４，１５，１６が照射対象としている本実施例における照射面（商品陳列スペースＳ）、すなわち商品が陳列される棚板６及び底板３ｂの上面までの距離は、棚板６及び頂板３ｃ用の照明装置１４，１６よりもキャノピー１３用の照明装置１５の方が長くなっている。そのため各々の照明装置１４，１５，１６に同じ定格電力のＬＥＤ２５，３７を用いてしまうと、照射面までの距離が長いキャノピー１３用の照明装置１５の照度が低下してしまう虞がある。
【００３９】
しかしながら、本実施例における照明装置１４，１５，１６では、キャノピー１３用の照明装置１５に光束を増大させることができる定格電力の大きなＬＥＤ３７を使用するようになっている。そのため頂板３ｃ及び棚板６の照明装置１４，１６と比較して、照射面までの距離が遠いキャノピー１３に設けられた照明装置１５であっても、照射面の照度を充分に高めることができる。
【００４０】
尚、頂板３ｃ及び棚板６用の照明装置１４，１６の各ＬＥＤ２５同士の所定間隔αよりも、キャノピー１３用の照明装置１５の各ＬＥＤ３７同士の間隔βが大きくなっている。そのため冷蔵室５よりも外方に設けられ放熱がし難いキャノピー１３用の照明装置１５に、光束が大きなＬＥＤ３７、すなわち定格電力の大きなＬＥＤ３７を用いてその発熱量が増大しても、ＬＥＤ３７同士の間隔βを大きくすることで、キャノピー１３用の照明装置１５の放熱性を高め、その発熱量を抑えることができる。
【００４１】
尚、各々の照明装置１４，１５，１６には、広指向性のＬＥＤ２５，３７が用いられている。そのため棚板６用の照明装置１４など、照射の対象となる照射面（商品陳列スペースＳ）との距離が近くであっても、広指向性ＬＥＤ２５を用いることで広い範囲の照射面を照らすことができ、棚板６及び底板３ｂなどの商品陳列スペースＳの前端から後端まで、ほぼ同じ照度で照らすことが可能になっている。
【００４２】
本実施例における各々の照明装置１４，１５，１６に用いられているＬＥＤ２５，３７に供給される電力は、各ＬＥＤ２５，３７の最高使用電力よりも低減させた状態で点灯されるようになっている。各ＬＥＤ２５，３７に入力される電力は、各ＬＥＤ２５，３７の最高使用電力の８０〜９５％の電力となるように制御される。
【００４３】
より詳しくは、各々の照明装置１４，１５，１６のＬＥＤ２５，３７に供給される電力は、矩形状のパルス波のデューティー比を変化させて変調するパルス幅変調、すなわちパルス・ワイド・モジュレーション（以下ＰＷＭと称する）により制御されている。ＰＷＭを棚板６用の照明装置１４を例により詳述すると、図６に示すように、ＰＷＭを用いた制御では、ＬＥＤ２５に供給する電力スイッチのＯＮ−ＯＦＦ状態を切り換えながら点滅発光させる制御を行っている。
【００４４】
図６に示すタイムチャートの例では、ＰＷＭにより制御されたＬＥＤ２５の点灯時間が８割で消灯時間２割の点滅発光を繰り返すよう制御している。すなわち点滅発光しない状態と比較して単位時間あたりのＬＥＤ２５の消費電力を２割ほど低下できるようになっている。尚、本実施例のＬＥＤ２５が点滅発光される際の消灯時間は、非常に短い時間となっているため、商品陳列スペースＳを視認している人間の目には、常時点灯されるＬＥＤを用いた際と同じ照明効果が得られるようになっている。
【００４５】
尚、ＰＷＭによるＬＥＤ２５の点灯制御は、照明装置１４に設けられた基板２４で行われるようになっている。このようにＰＷＭによる制御を行う基板２４が本実施例における電力低減手段を構成している。更に尚、パルス幅変調（ＰＷＭ）を用いてＬＥＤ２５を点滅発光させることで、ＬＥＤ２５に最高使用電力よりも少ない電力を入力する制御を基板２４によって容易に行うことができる。また、ＰＷＭによる制御を行うのは、基板２４に限らず、照明装置１４に電力を供給する電源装置（図示略）などで行うようにしてもよい。
【００４６】
図７に示すタイムチャートは、少なくとも２つ（複数個）のＬＥＤ２５を用いてＬＥＤ２５のＰＷＭによる点灯制御を行う変形例を示している。図７（ａ）のタイムチャートに示したＬＥＤ２５と、図７（ｂ）のタイムチャートに示したＬＥＤ２５とが交互に点滅点灯されるようになっている。すなわち図７（ａ）のＬＥＤ２５が点灯している間、図７（ｂ）のＬＥＤ２５が消灯されるとともに、図７（ｂ）のＬＥＤ２５が点灯している間、図７（ａ）のＬＥＤ２５が消灯されるようになっている。このように複数のＬＥＤ２５の点滅点灯を交互に繰り返すことで、ＬＥＤ２５に供給される電力を低減させることができる。
【００４７】
本実施例では、各ＬＥＤ２５の最高使用電力よりも少ない電力を入力することで、ＬＥＤ２５を最高使用電力で使用する際と比較して、ＬＥＤ２５の明るさを殆ど落とすことなく、ＬＥＤ２５の発熱量を減少させてＬＥＤ２５が高温状態になることを防止し、その使用寿命を延ばすことができるようになっている。
【００４８】
尚、キャノピー１３用の照明装置１５と頂板３ｃ及び棚板６用の照明装置１４，１６とを別々に制御するようにしてもよく、例えば、キャノピー１３用の照明装置１５の全てのＬＥＤ３７をＰＷＭによる制御によって同時に点滅点灯させるとともに（図６参照）、頂板３ｃ及び棚板６用の照明装置１４，１６を各々のＬＥＤ２５が交互に点滅点灯される構成としてもよい（図７参照）。
【００４９】
図８に示したのは、棚板６用の照明装置１４に供給される電力（Ｗ）と、棚板６の上面、すなわち商品陳列スペースＳにおける照度（ＬＸ）との関係を示したグラフである。このグラフに示すように、照明装置１４に対する入力電力が最高使用電力である１００％から入力電力を２割ほど低減させた８０％まで範囲では、商品陳列スペースＳにおける照度が２０００ＬＸ以上となっており、照明装置１４に対する入力電力を８０％程度低減させても、最高使用電力（１００％）のときとほぼ同じ照度を確保できることが分かる。
【００５０】
このことから考察すると、各ＬＥＤ２５に入力される電力を、最高使用電力の８０〜９５％の電力にしても、ＬＥＤ２５の明るさを殆ど落とすことなく、消費電力を低減させることができ、最も効率的よくＬＥＤ２５使用しながら照明装置１４の発熱量を減少させることができる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、キャノピー１３用の照明装置１５に用いられているＬＥＤ３７は、光束を増大させることができる定格電力の大きなＬＥＤ３７となっているが、全ての照明装置１４，１５，１６に同じ定格電力のＬＥＤを用いるようにしてもよく、その場合には、キャノピー１３用の照明装置１５には、頂板３ｃ及び棚板６用の照明装置１４，１６よりも多くの個数のＬＥＤを設けることで、照明装置１５の光束を増大させ、商品陳列スペースＳ（照射面）までの距離が遠いキャノピー１３用の照明装置１５であっても、照射面の照度を充分に高めることができる。
【００５３】
また、前記実施例では、照明装置１４，１５，１６のＬＥＤ２５，３７に供給される電力が、ＰＷＭにより低減されるように制御されていたが、ＬＥＤ２５，３７に供給される電力を低減させる手段としてはＰＷＭに限らず、電流値や電圧値を直接低減させるように制御してもよい。
【００５４】
また、前記実施例では、照明装置１４はブラケット２２に対して揺動不能に取り付けられているが、照明装置１４の放熱フィン２３ｃが棚板６の下面に当接しない揺動範囲で、照明装置１４を、軸体３３を中心軸として前後方向に揺動可能にして、照明装置１４から発せられる光を任意の方向に向けられるようにしてもよく、その場合には、照明装置１４の揺動範囲を任意に規制できる規制手段を設けるようにしてもよい。
【００５５】
また、前記実施例では、照明装置１４内で発生する熱を外部に放熱する放熱部としての放熱フィンがアルミケース２３の外周面に形成されているが、放熱部はフィン状のものに限らず、例えば、アルミケース２３の外周面に内部に貫通する貫通孔を設け、この貫通孔から照明装置１４内で発生する熱を外部に放熱できるようにしてもよい。
【図面の簡単な説明】
【００５６】
【図１】実施例における冷凍冷蔵ショーケースを示す縦断側面図である。
【図２】棚板に設けられた照明装置を示す横断底面図である。
【図３】棚板に設けられた照明装置を示す縦断側面図である。
【図４】キャノピーに設けられた照明装置を示す横断底面図である。
【図５】キャノピーに設けられた照明装置を示す縦断側面図である。
【図６】ＰＷＭにより制御されたＬＥＤの点灯状態を示すタイムチャートである。
【図７】ＰＷＭにより制御されたＬＥＤの点灯状態を示すタイムチャートである。
【図８】ＬＥＤの電力と照度の関係を示すグラフである。
【符号の説明】
【００５７】
１                冷凍冷蔵ショーケース（商品陳列棚）
３                内箱
３ｃ              頂板
６                棚板
１０              吐出口
１３              キャノピー
１４，１５，１６  照明装置
２２              ブラケット
２３              アルミケース（ケース体）
２３ｃ            放熱フィン（放熱部）
２４              基板（電力低減手段）
２５              ＬＥＤ
３５              アルミケース
３５ｃ            放熱フィン（放熱部）
３６              基板（電力低減手段）
３７              ＬＥＤ
４１              ブラケット
【図１】
2008206759.tif 000003
【図２】
2008206759.tif 000004
【図３】
2008206759.tif 000005
【図４】
2008206759.tif 000006
【図５】
2008206759.tif 000007
【図６】
2008206759.tif 000008
【図７】
2008206759.tif 000009
【図８】
2008206759.tif 000010